(57)【要約】【課題】本発明は目地部間に設置することができるとともに、目地部が狭くなった場合には反室内側の上方あるいは内側へ突出させて安全に使用することができ、かつ揺れ動きが停止した場合には元の状態に自動的に戻すことができる目地カバーを得るにある。【解決手段】目地部を介して設置された左右の建物の目地部側の左右の天井躯体に常時は目地部を覆うように後端部が回動可能に取付けられた一対の目地カバー本体と、この一対の目地カバー本体の先端部にそれぞれ形成された、前記目地部が狭くなると当接した状態で上方へ迫り上げが可能な一対の迫り上げ片と、前記一対の目地カバー本体が一対の迫り上げ片による迫り上げが可能な部位より先端部がそれぞれ下がるのを阻止するストッパーとで目地カバーを構成している。【選択図】　図２
2004124571.tif 000002
【特許請求の範囲】
【請求項１】
目地部を介して設置された左右の建物の、目地部側の左右の天井躯体に常時は目地部を覆うように後端部が回動可能に取付けられた一対の目地カバー本体と、この一対の目地カバー本体の先端部にそれぞれ形成された、前記目地部が狭くなると当接した状態で上方へ迫り上げが可能な一対の迫り上げ片と、前記一対の目地カバー本体が一対の迫り上げ片による迫り上げが可能な部位より先端部がそれぞれ下がるのを阻止するストッパーとからなることを特徴とする目地カバー。
【請求項２】
目地部を介して設置された左右の建物の、目地部側の左右の天井躯体に常時は目地部を覆うように後端部が回動可能に取付けられた一対の目地カバー本体と、この一対の目地カバー本体の先端部にそれぞれ形成された、前記目地部が狭くなると当接した状態で上方へ迫り上げが可能な一対の迫り上げ片と、前記一対の迫り上げ片の一方の迫り上げ片に設けられた他方の迫り上げ片の上部間を覆うカバー片とからなることを特徴とする目地カバー。
【請求項３】
目地部を介して設置された左右の建物の、目地部側の左右の壁躯体に常時は目地部を覆うように後端部が回動可能に取付けられた一対の目地カバー本体と、この一対の目地カバー本体の先端部にそれぞれ形成された、前記目地部が狭くなると当接した状態で内側へ迫り上がるように回動させることができる一対の迫り上げ片と、前記一対の目地カバー本体が一対の迫り上げ片により迫り上げが可能な部位より先端部が外側に位置するのを阻止するストッパーと、前記一対の目地カバー本体を常時目地部を覆うように付勢する付勢装置とからなることを特徴とする目地カバー。
【請求項４】
目地部を介して設置された左右の建物の、目地部側の左右の天井躯体に常時は目地部を覆うように後端部が回動可能に取付けられた一対の目地カバー本体と、この一対の目地カバー本体が取付けられた部位の上部の天井躯体に両端部が枢支された四角枠状のリンク機構、このリンク機構の収縮によって前記一対の目地カバー本体の先端部を上方へ吊り下げる一対のワイヤーを用いた吊り上げ機構とからなることを特徴とする目地カバー。
【発明の詳細な説明】
【０００１】
【発明の属する技術分野】
本発明は目地部を介して設置された免震ビル等の左右の建物の天井あるいは壁の目地部を覆う目地カバーに関する。
【０００２】
【従来の技術】
従来のこの種の目地カバーは、目地カバー本体の両端部を左右の建物の天井躯体あるいは壁躯体にスライド移動させて、地震時の揺れ動きを吸収できる構造になっている。
【０００３】
【発明が解決しようとする課題】
従来の目地カバー装置は、目地カバー装置の両端部が天井躯体あるいは壁躯体をスライド移動するため、そのスライド移動量を確保しなければならず、該部の天井化粧材や壁材の取付けに苦労するとともに、室内外の外側に目地カバー本体が突出するため、見苦しく危険であるという欠点があった。
【０００４】
本発明は以上のような従来の欠点に鑑み、目地部間に設置することができるとともに、目地部が狭くなった場合には反室内側の上方あるいは内側へ突出させて安全に使用することができ、かつ揺れ動きが停止した場合には元の状態に自動的に戻すことができる目地カバーを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して設置された左右の建物の、目地部側の左右の天井躯体に常時は目地部を覆うように後端部が回動可能に取付けられた一対の目地カバー本体と、この一対の目地カバー本体の先端部にそれぞれ形成された、前記目地部が狭くなると当接した状態で上方へ迫り上げが可能な一対の迫り上げ片と、前記一対の目地カバー本体が一対の迫り上げ片による迫り上げが可能な部位より先端部がそれぞれ下がるのを阻止するストッパーとで目地カバーを構成している。
【０００７】
【発明の実施の形態】
以下、図面に示す実施の形態により、本発明を詳細に説明する。
【０００８】
図１ないし図７に示す本発明の第１の実施の形態において、１は目地部２を介して設置された左右の建物３、３の左右の天井躯体３ａ、３ａ間の目地部２を覆う目地カバーで、この目地カバー１は目地部２を覆うほぼ水平状態で停止され、先端部が上方へ回動可能となるように後端部が目地部側の左右の天井躯体３ａ、３ａにストッパー兼用のヒンジ部材４、４で取付けられた一対の目地カバー本体５、５と、この一対の目地カバー本体５、５の先端部にそれぞれ形成された、前記目地部２が狭くなると当接した状態で上方へ迫り上げ可能な傾斜に形成された一対の迫り上げ片６、６と、前記一対の目地カバー本体５、５が前記一対の迫り上げ片６、６により迫り上げが可能な部位、本発明の実施の形態では一対の目地カバー本体５、５がほぼ水平の状態からそれぞれ下がるのを阻止するために必要に応じて設置される一端部が、該一対の目地カバー本体５、５のほぼ中央部寄りの部位に固定され、他端部が前記ヒンジ部材４、４の取付け部よりも上方の左右の天井躯体３ａ、３ａに固定されたワイヤーを用いたストッパー７、７とで構成されている。
【０００９】
上記構成の目地カバー１は平常時はヒンジ部材４、４およびストッパー７、７によってほぼ水平状態に位置する一対の目地カバー本体５、５によって、目地部２が覆われた状態となる。
地震等によって左右の建物３、３が異なる左右方向に揺れ動き、目地部２が広くなった場合には、図５に示すように一対の目地カバー本体５、５が左右の建物３、３と一体となって左右方向に移動し、該一対の目地カバー本体５、５の先端部間に隙間を生じさせて、その揺れ動きを吸収する。
また、目地部２が狭くなった場合には図６および図７に示すように、一対の目地カバー本体５、５の後端部のヒンジ部材４、４の枢支部よりも上方に位置する一対の迫り上げ片６、６の先端部が押し圧されるように移動するため、一対の迫り上げ片６、６が上方へ迫り上げられ、一対の目地カバー本体５、５の先端部を上方へ回動させて、その揺れ動きを吸収する。揺れ動きが停止した場合には、当然自動的に元の状態に戻る。
【００１０】
【発明の異なる実施の形態】
次に、図８ないし図４０に示す本発明の異なる実施の形態につき説明する。なお、これらの本発明の異なる実施の形態の説明に当って、前記本発明の第１の実施の形態と同一構成部分には同一符号を付して重複する説明を省略する。
【００１１】
図８ないし図１０に示す本発明の第２の実施の形態において、前記本発明の第１の実施の形態と主に異なる点は、一対の迫り上げ片６、６の一方の迫り上げ片６の先端部に、他方の迫り上げ片６の上部間を覆うカバー片８を設置するとともに、一対の迫り上げ片６、６が上方へ迫り上げられた場合に、他方の迫り上げ片６よりも一方の迫り上げ片６側の目地カバー本体５が遅く元の位置に戻るようにスプリング９を介装したストッパー７Ａを用いた点で、このように構成した目地カバー１Ａにしても、前記本発明の第１の実施の形態と同様な作用効果が得られる。
なお、スプリング９を介装したストッパー７Ａに代え、ヒンジ部材４にスプリングを介装したり、一方の目地カバー本体５の後端部と目地部側の天井躯体３ａとの間にスプリングを介装してもよい。
【００１２】
図１１ないし図１３に示す本発明の第３の実施の形態において、前記本発明の第２の実施の形態と主に異なる点は、一対の目地カバー本体５、５の先端部にアングル状に形成された一対の迫り上げ片６Ａ、６Ａを形成した点で、このように構成した目地カバー１Ｂにしても、前記本発明の第２の実施の形態と同様な作用効果が得られるとともに、一対の目地カバー本体５、５の先端部間に凹部１０が形成された目地カバーのデザインにすることができる。
【００１３】
図１４ないし図１６に示す本発明の第４の実施の形態において、前記本発明の第２の実施の形態と主に異なる点は、ヒンジ部材４、４の上部の左右の天井躯体３ａ、３ａに垂直方向のガイド孔１１が形成されたガイド部材１２、１２を固定するとともに、一端部が一対の目地カバー本体５、５のほぼ中央部に枢支ピン１３、１３で枢支された支持バー１４、１４の他端部のローラ１５、１５を前記ガイド部材１２、１２のガイド孔１１、１１をスライド移動するストッパー７Ｂ、７Ｂを用いた点で、このように構成した目地カバー１Ｃにしても、前記本発明の第２の実施の形態と同様な作用効果が得られる。
【００１４】
図１７ないし図２１に示す本発明の第５の実施の形態において、前記本発明の第３の実施の形態と主に異なる点は、一対の目地カバー本体５、５の上部の左右の天井躯体３ａ、３ａに両端部が枢支ピン１６、１６で枢支された四角枠形状のリンク機構１７、このリンク機構１７の一方の対向するバー部材１７ａ、１７ａのほぼ中央部に枢支ピン１８、１８で両端部が枢支された支持バー１９、前記リンク機構１７の両側部の枢支部２０、２０にそれぞれ取付けられたガイドローラ２１、２１および係止片２２、２２、前記支持バー１９のほぼ中央部に取付けられた下方へのガイドローラ２３、２３、一端部が係止片２２、２２に固定され、他端部が他方のガイドローラ２１、２１および下方へのガイドローラ２３、２３を通過して一対の目地カバー本体５、５の先端部寄りの部位に取付けられた一対のワイヤー２４、２４を用いたストッパー兼用の吊り上げ機構２５とを用いた点で、このように構成した目地カバー１Ｄにしても、前記本発明の第３の実施の形態と同様な作用効果が得られる。
なお、本発明の実施の形態では一対の目地カバー本体５、５の厚さ寸法よりも大きい寸法の隙間を該一対の目地カバー本体５、５の先端部間に設けることによりフラットな一対の目地カバー本体を用いても、同様な作用効果が得られる。
【００１５】
図２２ないし図２４に示す本発明の第６の実施の形態において、前記本発明の第５の実施の形態と主に異なる点は、先端部を傾斜面２６、２６に形成した一対の目地カバー本体５Ａ、５Ａを用いるとともに、リンク機構１７の両端部に下方に突出するローラ３６、３６を設け、該ローラ３６、３６を左右の天井躯体３ａ、３ａに取付けられたレール３７、３７でスライド可能に支持させ、一方のバー部材１７ｂを外方に突出差せ、先端下部に前記レール３７にスライド移動可能なローラ３６を取付けた点で、このように構成した目地カバー１Ｅにしても、前記本発明の第５の実施の形態と同様な作用効果が得られる。
なお、本発明の実施の形態では一対の目地カバー本体５Ａ、５Ａの厚さ寸法以上の隙間を一対の目地カバー本体５Ａ、５Ａの先端部間に設けてもよい。
【００１６】
図２５ないし図２８に示す本発明の第７の実施の形態において、前記本発明の第６の実施の形態と主に異なる点は、レール３７、３７に少なくとも２個以上のリンク機構１７、１７を取付けるとともに、該リンク機構１７、１７の外方に突出させた一方のバー部材１７ｂ、１７ｂを枢支する枢支ピン１８、１８に連結バー３８を取り付けた点で、このように構成した目地カバー１Ｆにしても、前記本発明の第６の実施の形態と同様な作用効果が得られるとともに、幅寸法の大きい部分の目地部を覆う場合に使用することができる。
【００１７】
図２９ないし図３１に示す本発明の第８の実施の形態において、前記本発明の第７の実施の形態と主に異なる点は、リンク機構１７、１７の両側部の他方の枢支ピン１８に取付けられた作動杆３９と、この作動杆３９をリンク機構１７、１７の支持バー１９、１９に枢支ピン４０、４０で枢支された連結バー３８上をスライド移動可能に支持する支持ケース４１と、この支持ケース４１の反リンク機構１７側に曲げ部４２ａが枢支ピン４３で枢支された逆へ字状のレバー４２と、このレバー４２の後端部に一端部が取付けられた前記リンク機構１７側の前記支持ケース４１に取付けられたガイドローラ４４を介して他端部が前記作動杆３９の先端部に取付けられたワイヤー４５と、前記レバー４２の先端部に一端部が取付けられ、ガイドローラ４６、４６、４７、４７を介して他端部が目地カバー本体５、５にぞぞれ取付けられた吊り上げワイヤー４８、４８とからなる吊り上げ機構２５Ａ、２５Ａとを用いた点で、このように構成した目地カバー１Ｇにしても、前記本発明の第７の実施の形態と同様な作用効果が得られるとともに、リンク機構１７、１７の移動量をレバー４２の回動によって拡大して吊り上げワイヤー４８、４８を移動させることができる。
【００１８】
図３２ないし図３７に示す本発明の第９の実施の形態において、前記本発明の第１の実施の形態と主に異なる点は、目地部２側の左右の壁躯体３ｂ、３ｂにヒンジ部材４、４で一対の目地カバー本体５、５を取付けるとともに、一端部が他方の迫り上げ片６に固定され、他端部が一方の迫り上げ片６を通過して一方の目地カバー本体５の後端部寄りの部位に取付けられたスプリング３３が介装されたストッパー７Ｃを用いた点で、このように構成した目地カバー１Ｈは、壁躯体３ｂ、３ｂ間の目地部２を覆うために使用することができる。
【００１９】
図３８ないし図４０に示す本発明の第１０の実施の形態において、前記本発明の第９の実施の形態と主に異なる点は、一対の目地カバー本体５、５にほぼ直線状態となるワイヤーを用いたストッパー７、７を取付けるとともに、ガイドローラ３４を介して重り３５を用いたストッパー７Ｄを用いた点で、このように構成した目地カバー１Ｉにしても、前記本発明の第８の実施の形態と同様な作用効果が得られる。
【００２０】
【発明の効果】
以上の説明から明らかなように、本発明にあっては次に列挙する効果が得られる。
【００２１】
（１）目地部を介して設置された左右の建物の、目地部側の左右の天井躯体に常時は目地部を覆うように後端部が回動可能に取付けられた一対の目地カバー本体と、この一対の目地カバー本体の先端部にそれぞれ形成された、前記目地部が狭くなると当接した状態で上方へ迫り上げが可能な一対の迫り上げ片と、前記一対の目地カバー本体が一対の迫り上げ片による迫り上げが可能な部位より先端部がそれぞれ下がるのを阻止するストッパーとで構成されているので、常時は目地部間に設置された一対の目地カバー本体によって、目地部を覆うことができる。
したがって、目地部側の躯体以外は使用しないので、小型コンパクトに設置でき、美観の向上を図ることができる。
【００２２】
（２）前記（１）によって、地震等によって目地部が狭くなると、一対の迫り上げ片に加わる押し圧力によって、反室内側の上方あるいは内側へ突出させて、その揺れ動きを吸収することができる。
したがって、室内側に突出することがなく、安全に使用することができる。
【００２３】
（３）前記（１）によって、地震等によって目地部が広くなると、一対の目地カバー本体の先端部間に隙間が生じて、その揺れ動きを吸収し、損傷を効率よく阻止することができる。
【００２４】
（４）前記（１）によって、揺れ動きが停止すると自動的に元の状態に戻る。
したがって、メンテナンスが不要で、楽に使用することができる。
【００２５】
（５）請求項２も前記（１）〜（４）と同様な効果が得られるとともに、目地部をカバー片によって完全に覆うことができる。
【００２６】
（６）請求項３、４も前記（１）〜（４）と同様な効果が得られる。
【図面の簡単な説明】
【図１】本発明の第１の実施の形態の底面図。
【図２】図１の２−２線に沿う拡大断面図。
【図３】本発明の第１の実施の形態の平面図。
【図４】本発明の第１の実施の形態の目地カバー本体の説明図。
【図５】本発明の第１の実施の形態の目地部が広くなった動作説明図。
【図６】本発明の第１の実施の形態の目地部が狭くなった動作説明図。
【図７】本発明の第１の実施の形態の目地部が狭くなった異なる動作説明図。
【図８】本発明の第２の実施の形態の底面図。
【図９】本発明の第２の実施の形態の平面図。
【図１０】図８の１０−１０線に沿う拡大断面図。
【図１１】本発明の第３の実施の形態の底面図。
【図１２】本発明の第３の実施の形態の平面図。
【図１３】図１１の１３−１３線に沿う拡大断面図。
【図１４】本発明の第４の実施の形態の底面図。
【図１５】本発明の第４の実施の形態の平面図。
【図１６】図１４の１６−１６線に沿う拡大断面図。
【図１７】本発明の第５の実施の形態の底面図。
【図１８】本発明の第５の実施の形態の平面図。
【図１９】図１７の１９−１９線に沿う拡大断面図。
【図２０】本発明の第５の実施の形態の吊り上げ機構の説明図。
【図２１】本発明の第５の実施の形態の目地部が狭くなった動作説明図。
【図２２】本発明の第６の実施の形態の底面図。
【図２３】本発明の第６の実施の形態の平面図。
【図２４】図２２の２４−２４線に沿う拡大断面図。
【図２５】本発明の第７の実施の形態の底面図。
【図２６】本発明の第７の実施の形態の平面図。
【図２７】図２５の２７−２７線に沿う拡大断面図。
【図２８】本発明の第７の実施の形態の目地部が狭くなった動作説明図。
【図２９】本発明の第８の実施の形態の平面図。
【図３０】図２９の３０−３０線に沿う拡大断面図。
【図３１】本発明の第８の実施の形態の吊り上げ機構の説明図。
【図３２】本発明の第９の実施の形態の正面図。
【図３３】本発明の第９の実施の形態の背面図。
【図３４】図３２の３４−３４線に沿う拡大断面図。
【図３５】本発明の第９の実施の形態の目地部が広くなった動作説明図。
【図３６】本発明の第９の実施の形態の目地部が狭くなった動作説明図。
【図３７】本発明の第９の実施の形態の前後方向にに動いた動作説明図。
【図３８】本発明の第１０の実施の形態の正面図。
【図３９】本発明の第１０の実施の形態の背面図。
【図４０】図３８の４０−４０線に沿う拡大断面図。
【符号の説明】
１、１Ａ〜１Ｉ：目地カバー、
２：目地部、　　　　　　３：建物、
３ａ：天井躯体、　　　　４：ヒンジ部材、
５、５Ａ、５Ｂ：目地カバー本体、
６、６Ａ：迫り上げ片、
７、７Ａ、７Ｂ、７Ｃ、７Ｄ：ストッパー、
８：カバー片、　　　　　９：スプリング、
１０：凹部、　　　　　　１１：ガイド孔、
１２：ガイド部材、　　　１３：枢支ピン、
１４：支持バー、　　　　１５：ローラ、
１６：枢支ピン、　　　　１７：リンク機構、
１８：枢支ピン、　　　　１９：支持バー、
２０：枢支部、　　　　　２１：ガイドローラ、
２２：係止片、　　　　　２３：下方へのガイドローラ、
２４：ワイヤー、　　　　２５、２５Ａ：吊り上げ機構、
２６：傾斜面、　　　　　２８：下面傾斜面、
３３：スプリング、　　　３４：ガイドローラ、
３５：重り、　　　　　　３６：ローラ、
３７：レール、　　　　　３８：連結バー、
３９：作動杆、　　　　　４０：枢支ピン、
４１：支持ケース、　　　４２：レバー、
４３：枢支ピン、　　　　４４：ガイドローラ、
４５：ワイヤー、　　　　４６：ガイドローラ、
４７：ガイドローラ、　　４８：吊り上げワイヤー。
【図１】
2004124571.tif 000003
【図２】
2004124571.tif 000004
【図３】
2004124571.tif 000005
【図４】
2004124571.tif 000006
【図５】
2004124571.tif 000007
【図６】
2004124571.tif 000008
【図７】
2004124571.tif 000009
【図８】
2004124571.tif 000010
【図９】
2004124571.tif 000011
【図１０】
2004124571.tif 000012
【図１１】
2004124571.tif 000013
【図１２】
2004124571.tif 000014
【図１３】
2004124571.tif 000015
【図１４】
2004124571.tif 000016
【図１５】
2004124571.tif 000017
【図１６】
2004124571.tif 000018
【図１７】
2004124571.tif 000019
【図１８】
2004124571.tif 000020
【図１９】
2004124571.tif 000021
【図２０】
2004124571.tif 000022
【図２１】
2004124571.tif 000023
【図２２】
2004124571.tif 000024
【図２３】
2004124571.tif 000025
【図２４】
2004124571.tif 000026
【図２５】
2004124571.tif 000027
【図２６】
2004124571.tif 000028
【図２７】
2004124571.tif 000029
【図２８】
2004124571.tif 000030
【図２９】
2004124571.tif 000031
【図３０】
2004124571.tif 000032
【図３１】
2004124571.tif 000033
【図３２】
2004124571.tif 000034
【図３３】
2004124571.tif 000035
【図３４】
2004124571.tif 000036
【図３５】
2004124571.tif 000037
【図３６】
2004124571.tif 000038
【図３７】
2004124571.tif 000039
【図３８】
2004124571.tif 000040
【図３９】
2004124571.tif 000041
【図４０】
2004124571.tif 000042